(57)【特許請求の範囲】
【請求項１】
マイク本体が振動吸収機能を有するダンパー部材を備えた保持部材に挿着され、この保持部材が上記ダンパー部材を介して電子機器本体のマイクケースに保持されるようにしたマイクロホンユニットを有する電子機器において、一方側がマイクケースにビス止めされた前記保持部材の他方側を、前記一方側がマイクケースにビス止めされた後に、他方側の下部に移動してくる受けリブで支持することにより、前記保持部材をキャビネットの傾斜面に固定したマイクロホンユニットを有する電子機器。
【請求項２】
受けリブがマイクロホンユニットの下部に挿入されるライトユニットに形成された請求項１に記載のマイクロホンユニットを有する電子機器。
【発明の詳細な説明】
【０００１】
【発明の属する技術分野】
本発明はビデオカメラ装置等のマイクロホンユニットを有する電子機器に関するものである。
【０００２】
【従来の技術】
従来、マイクロホンユニットを有する電子機器、例えば、ビデオカメラ装置の場合、ＶＴＲ機構部のモーターの回転あるいはテープリールやシリンダーヘッドの回転に伴なって発生する振動や機雑がビデオカメラ装置本体あるいはキャビネット等からマイクロホンユニットのマイク本体に伝わるのを防止するため、マイク本体を、振動を吸収するゴム製等のダンパー部材を介してビデオカメラ装置本体に支持している。
【０００３】
また、ビデオカメラ装置等のマイクロホンユニットを有する電子機器において、電子機器の小型化および省スペースという条件の中でマイクロホンユニットを組み込むため、傾斜した電子機器のキャビネット表面にダンパー部材を配置する場合、金型の抜き方向は傾斜したキャビネット表面に平行でないため、傾斜したキャビネット表面に平行にダンパー部材を固定するためにダンパー部材の保持部材をスライドや回転によって組み付けている。
【０００４】
図１はマイクロホンユニットを有する電子機器の一例であるビデオカメラ装置の外観斜視図、図６はビデオカメラ装置に組み込まれた従来のマイクロホンユニットの分解斜視図、図７はビデオカメラ装置に組み込まれた状態における従来のマイクロホンユニットの側断面図である。
【０００５】
図１において、１はビデオカメラ装置本体２の前方上部に取り付けられたマイクケース、３はマイクケース１の上面を覆うマイクネット、４はビデオカメラ装置の正面を照明するためにマイクケース１の前方内部に取り付けられたランプユニットのランプの光を拡散するライトプロテクター、５はビデオカメラ装置本体２の前方正面に取り付けられた撮像レンズであり、マイクケース１の内部にマイク本体が支持されている。
【０００６】
図６において、ビデオカメラ装置本体２（図示せず）の前方上部に取り付けられるマイクケース１は中間仕切板１ａに開口１ｂを有し、中間仕切板１ａの上方に形成される凹部１ｃの周辺には、凹部１ｃを覆うマイクネット３を溶着させる複数の溶着リブ１ｄが形成され、マイクネット３はその内側にフィルター６を取り付けた状態で周辺の穴に前記溶着リブ１ｄを通し、高周波溶着することで溶着リブ１ｄがマイクネット３の周辺の穴に溶け込みマイクケース１とマイクネット３が固着されることになる。
【０００７】
２個のマイク本体７，７を支持するダンパー部材８は振動を吸収し機雑を防止するためゴム材からできており、集音孔８ａ，８ａと、マイク本体７，７を固定する収納孔８ｂ，８ｂと、ダンパー部材８に係合させる凸形状８ｃ，８ｃと、フランジ部８ｄとを備える。なお、７ａはマイク本体７の集音部である。
【０００８】
マイクケース１の中間仕切板１ａに下方から押し付けたダンパー部材８のフランジ部８ｄを、中間仕切板１ａの開口１ｂの周縁部とで挟持する保持部材９はマイクケース１の中間仕切板１ａの開口１ｂに対応する位置に開口９ａと、ダンパー部材８の凸形状８ｃ，８ｃと係合する凹形状９ｂ，９ｂとを有する。
【０００９】
ビデオカメラ装置の正面を照明するためにマイクケース１の前方内部に取り付けられたランプユニットのライトリフレクター１１をマイクケース１の前部より挿入し、ランプ１０が挿入されるランプソケット１２をマイクケース１の後部より挿入し、ランプソケット１２のビス止め孔１２ａ，１２ａとマイクケース１のビス止め孔１ｅ，１ｅとをライトリフレクター１１のボス１１ａ，１１ａにビス１３，１３にて締め付けることにより固定する。なお、ランプ１０の光を拡散する機能を有するライトプロテクター４はライトリフレクター１１の前部より挿入される。
【００１０】
上記の構成のマイクロホンユニットを、ビデオカメラ装置の傾斜したキャビネット表面に組み込む順序を示したのが図７のマイクロホンユニットの側断面図であり、先ず、図６の分解斜視図において、ダンパー部材８の収納孔８ｂ，８ｂにマイク本体７，７を挿入した状態で、ダンパー部材８の凸形状８ｃ，８ｃと保持部材９の凹形状９ｂ，９ｂとを係合させてダンパー部材８と保持部材９を結合させる。
【００１１】
次に、図７の（ａ）に示すように、保持部材９がダンパー部材８と結合した状態で、表面が傾斜したマイクケース１の挿入可能な方向から保持部材９の一方側９ｃを、マイクケース１の内側に形成した支点形状１ｆに当接するまで挿入する。
【００１２】
次に、図７の（ｂ）に示すように、マイクケース１の内壁１ｇと支点形状１ｆの間に保持部材９の一方側９ｃが挿入され、支点形状１ｆに当接した状態で、支点形状１ｆを中心として保持部材９を回転させることにより、保持部材９が傾斜したマイクケース１の表面に沿うように密着し、保持部材９に結合したダンパー部材８に支持されたマイク本体７，７の集音部７ａ，７ａがマイクケース１の中間仕切板１ａの開口１ｂから、マイクネット３で覆われたマイクケース１の凹部１ｃ内に表面をのぞかすことになる。
【００１３】
次に、図７の（ｃ）に示すように、保持部材９の一方側９ｃがマイクケース１の内壁１ｇと支点形状１ｆの間に挿入され支点形状１ｆに当接した状態で、回転させた保持部材９の他方側９ｄをマイクケース１のビス止め孔１ｈにビス１４にてビス止めする。
【００１４】
上記のようにビデオカメラ装置に組み込まれたマイクロホンユニットは、マイクケース１の中間仕切板１ａと保持部材９との間にダンパー部材８のフランジ部８ｄが挟持されたこととなる。つまり、ダンパー部材８に支持されたマイク本体７，７はダンパー部材８に懸架された状態で保持され、ビデオカメラ装置本体２からマイクケース１に伝わった振動はダンパー部材８に効果的に吸収され、マイク本体７への振動の影響を軽減することができ、また、ダンパー部材８のフランジ部８ｄによりビデオカメラ装置本体２の内側とマイクケース１の上方の凹部１ｃとが遮断されたことになり、ビデオカメラ装置本体２の内側から発生する振動や機雑がマイクケース１の上方の凹部１ｃ内にのぞいているマイク本体７，７の集音部７ａ，７ａへ侵入することを防止している。
【００１５】
【発明が解決しようとする課題】
しかしながら、ビデオカメラ装置のように傾斜したキャビネット面を有する電子機器にマイクロホンユニットを組み込む場合、従来のマイクロホンユニットの構成では、マイク本体を取り付けたダンパー部材をマイクケースに固定する際、図７の（ａ），（ｂ），（ｃ）に示すように、ゴム製のダンパー部材８を組み付けた保持部材９をマイクケース１に挿入し、回転させて組み付けるため、図７の（ｃ）のＬ部拡大側断面図である図７の（ｄ）に示すように、ダンパー部材８のフランジ部８ｄが、そのフランジ部８ｄを挟持するマイクケース１の中間仕切板１ａの開口１ｂの周縁部と保持部材９との間でねじれて開口１ｂの周縁部と保持部材９との間に隙間１５ができる場合がある。
【００１６】
この場合、ダンパー部材８をマイクケース１に固定する前にマイクケース１の外側からマイクネット３を溶着しているため、ダンパー部材８を組み付けた後ではダンパー部材８の取り付け状態を確認できず、ダンパー部材８の取り付け状態を補正できない。
【００１７】
従って、上記のように、ダンパー部材８がねじれて、フランジ部８ｄがつぶれてしまった場合、マイク本体７がダンパー部材８に懸架された状態で保持されなくなり、電子機器本体からマイクケース１に伝わった振動はダンパー部材８に吸収されずに、マイク本体７に伝わり、Ｓ／Ｎ比が悪化し、性能の低い内蔵マイクが組み付けられたことになる。
【００１８】
また、マイクケース１の中間仕切板１ａの開口１ｂの周縁部と保持部材９との間に隙間１５ができた場合、マイクケース１の内側とマイクケース１の上方の凹部１ｃとの気密性を確保できなくなり、電子機器本体の内側から発生する振動や機雑が上記隙間１５を通って、マイクケース１の上方の凹部１ｃ内にのぞいているマイク本体７，７の集音部７ａ，７ａへ侵入し、Ｓ／Ｎ比が悪化し、性能の低い内蔵マイクが組み付けられたことになる。
【００１９】
従って、上記のように、電子機器の傾斜したキャビネット表面へマイクロホンユニットを組み込む場合であっても、マイク本体を取り付けたダンパー部材がマイクケースと保持部材との間に隙間なく固定されることが要求されていた。
【００２０】
本発明は、上述したような課題を解決するためになされたもので、キャビネット表面が傾斜した面であってもダンパー部材がマイクケースと保持部材との間に隙間なく固定され、マイクの周波数特性を向上させると共に組み立て性を容易にし小型化が図れ、高性能のマイクロホンユニットを組み込んだ電子機器を得ることを目的とする。
【００２１】
【課題を解決するための手段】
この課題を解決するために、本発明のマイクロホンユニットを有する電子機器は、マイク本体が振動吸収機能を有するダンパー部材を備えた保持部材に挿着され、この保持部材が上記ダンパー部材を介して電子機器本体部のマイクケースに保持されるようにしたマイクロホンユニットを有する電子機器において、一方側がマイクケースにビス止めされた前記保持部材の他方側を、前記一方側がマイクケースにビス止めされた後に、他方側の下部に移動してくる受けリブで支持することにより、前記保持部材をキャビネットの傾斜面に固定するものであり、マイクの周波数特性を向上すると共に組み立て性を容易にし高性能の内蔵マイクとなるマイクロホンユニットが得られる。
【００２２】
【発明の実施の形態】
本発明の請求項１に記載の発明は、マイク本体が振動吸収機能を有するダンパー部材を備えた保持部材に挿着され、この保持部材が上記ダンパー部材を介して電子機器本体部のマイクケースに保持されるようにしたマイクロホンユニットを有する電子機器において、一方側がマイクケースにビス止めされた前記保持部材の他方側を、前記一方側がマイクケースにビス止めされた後に、他方側の下部に移動してくる受けリブで支持することにより、前記保持部材をキャビネットの傾斜面に固定したマイクロホンユニットを有する電子機器であり、一方側がマイクケースにビス止めされた前記保持部材の他方側を、前記一方側がマイクケースにビス止めされた後に、他方側の下部に移動してくる受けリブで支持することにより、保持部材を回転させることなく、マイクケースの傾斜した表面に平行に押し当てた状態で固定できるという作用を有する。
【００２３】
本発明の請求項２に記載の発明は、受けリブがマイクロホンユニットの下部に挿入されるライトユニットに形成された請求項１に記載のマイクロホンユニットを有する電子機器であり、受けリブがライトユニットに形成されていることにより、電子機器の正面を照明するライトユニットを兼用できるという作用を有する。
【００２４】
以下、本発明の実施の形態について図面を用いて説明する。
【００２５】
(実施の形態１)
図２は本発明のマイクロホンユニットを有する電子機器の実施の形態１であるビデオカメラ装置に組み込まれたマイクロホンユニットの分解斜視図、図３は図２におけるマイクロホンユニットをビデオカメラ装置に組み込んだ状態における側断面図であり、従来例を示す図６，図７と同じ構成の部分には同じ符号を付し、説明は省略する。
【００２６】
本実施の形態１における図２が従来例を示す図６と異なるところは、マイクケース１の前部より挿入したライトリフレクター１１の後方に突出したボス１１ａ，１１ａと平行に後方に突出した２個の受けリブ１１ｂ，１１ｂを形成した点であり、上記図２に示すマイクロホンユニットをビデオカメラ装置に組み込むには、先ず、図３の（ａ）の側断面図に示すように、マイクケース１の下側よりマイクケース１の内壁１ｇに平行にダンパー部材８の取り付けられた保持部材９を押し当て、保持部材９の他方側９ｄをマイクケース１のビス止め孔１ｈにビス１４にてビス止めする。
【００２７】
次に、図３の（ｂ）の側断面図に示すように、保持部材９の他方側９ｄをマイクケース１のビス止め孔１ｈにビス１４にてビス止めした後に、マイクケース１の前部より挿入されたランプユニットのライトリフレクター１１の後方に突出して設けた２個の受けリブ１１ｂ，１１ｂで保持部材９の一方側９ｃを支持し、その支持した状態で、マイクケース１の後部より挿入されるランプソケット１２のビス止め孔１２ａ，１２ａとマイクケース１のビス止め孔１ｅ，１ｅとをライトリフレクター１１のボス１１ａ，１１ａにビス１３，１３にて締め付け、ライトリフレクター１１を固定する。
【００２８】
すなわち、マイクケース１と保持部材９を固定するために、保持部材９を回転させる必要がなく、マイクケース１の内壁１ｇと、保持部材９に取り付けられたダンパー部材８のフランジ部８ｄとが圧着されたこととなり、フランジ部８ｄにはねじれが発生することがなく、図３の（ｂ）のＬ部拡大側断面図である図３の（ｃ）に示すように、フランジ部８ｄがマイクケース１の中間仕切板１ａの開口１ｂの周縁部と保持部材９との間を完全に遮断することになり、ビデオカメラ装置本体の内側から発生する振動や機雑がマイク本体７の集音部７ａへ侵入するのを防止することができる。
【００２９】
最後に、ライトリフレクター１１の前部よりランプ１０の光を拡散する機能を有するライトプロテクター４を挿入することによって組み付けが終了する。
【００３０】
（実施の形態２）
図４は本発明のマイクロホンユニットを有する電子機器の実施の形態２であるビデオカメラ装置に組み込んだ状態におけるマイクロホンユニットの側断面図であり、上記実施の形態に１におけるマイクロホンユニットの側断面図を示す図３においては、ライトリフレクター１１の後方に突出した２個の受けリブ１１ｂ，１１ｂが保持部材９の一方側９ｃを支持しているが、本実施の形態２を示す図４においては、保持部材９の他方側９ｄをマイクケース１のビス止め孔１ｈにビス１４にてビス止めした後に、マイクケース１の前部より挿入され、ビデオカメラ装置の正面に取り付けられたＩＲパネル１６に２個の受けリブ１６ａ，１６ａを設け、その受けリブ１６ａ，１６ａで保持部材９の一方側９ｃを支持している。その他の構成は図３と同じであるので、同じ符号を付し、説明は省略する。
【００３１】
（実施の形態３）
図５は本発明のマイクロホンユニットを有する電子機器の実施の形態３であるビデオカメラ装置に組み込んだ状態におけるマイクロホンユニットの側断面図であり、前記実施の形態に１におけるマイクロホンユニットの側断面図を示す図３においては、ライトリフレクター１１の後方に突出した２個の受けリブ１１ｂ，１１ｂが保持部材９の一方側９ｃを支持しているが、本実施の形態３を示す図５においては、保持部材９の他方側９ｄをマイクケース１のビス止め孔１ｈにビス１４にてビス止めした後に、マイクケース１の後部より挿入したランプソケット１２に２個の受けリブ１２ｂ，１２ｂを設け、その受けリブ１２ｂ，１２ｂで保持部材９の一方側９ｃを支持している。その他の構成は図３と同じであるので、同じ符号を付し、説明は省略する。
【００３２】
なお、上記各実施の形態では図示を省略しているが、保持部材９の下部にはマイク本体７用の回路基板が配設されており、フレキシブル配線板によって回路基板とマイク本体７が接続されている。
【００３３】
上記各実施の形態に示すマイクロホンユニットを有するビデオカメラ装置は、ダンパー部材８のフランジ部８ｄを備え、ビデオカメラ装置の傾斜したキャビネットの表面であっても取り付けが容易であり、上記ダンパー部材８が隙間なく圧着されて固定され、上記ビデオカメラ装置本体２の内外の気密性を保持するものであり、ビデオカメラ装置本体２の内側から発生する振動や機雑による影響がなくなる。これによって、ビデオカメラ装置に組み込まれるマイクロホンユニットの周波数特性の向上を図ることができ、また、マイクロホンユニットの組み立て性を高め、かつ小型化および低コスト化を実現することができるという有利な効果を有する。なお、上記各実施の形態により得られる作用効果は、ビデオカメラ装置に限らず、マイクロホンユニットを有する電子機器に広く適用可能である。
【００３４】
【発明の効果】
以上のように本発明のマイクロホンユニットを有する電子機器によれば、電子機器の傾斜したキャビネットの表面であってもマイクロホンユニットの取り付けが容易であり、取り付けられたマイクロホンユニットの周波数特性の向上を図ることができるという効果が得られる。
【図面の簡単な説明】
【図１】ビデオカメラ装置の外観斜視図
【図２】本発明の実施の形態１におけるビデオカメラ装置に組み込まれたマイクロホンユニットの分解斜視図
【図３】ビデオカメラ装置に組み込んだ状態における図２のマイクロホンユニットの側断面図
【図４】本発明の実施の形態２におけるビデオカメラ装置に組み込んだ状態におけるマイクロホンユニットの側断面図
【図５】本発明の実施の形態３におけるビデオカメラ装置に組み込んだ状態におけるマイクロホンユニットの側断面図
【図６】ビデオカメラ装置に組み込まれた従来のマイクロホンユニットの分解斜視図
【図７】ビデオカメラ装置に組み込まれた状態における従来のマイクロホンユニットの側断面図
【符号の説明】
１  マイクケース
１ａ  中間仕切板
１ｂ，９ａ  開口
１ｃ  凹部
１ｄ  溶着リブ
１ｅ，１ｈ，１２ａ  ビス止め孔
１ｆ  支点形状
１ｇ  内壁
２  ビデオカメラ装置本体
３  マイクネット
４  ライトプロテクター
５  撮像レンズ
６  フィルター
７  マイク本体
７ａ  集音部
８  ダンパー部材
８ａ  集音孔
８ｂ  収納孔
８ｃ  凸形状
８ｄ  フランジ部
９  保持部材
９ｂ  凹形状
９ｃ  一方側
９ｄ  他方側
１０  ランプ
１１  ライトリフレクター
１１ａ  ボス
１１ｂ，１２ｂ，１６ａ  受けリブ
１２  ランプソケット
１３，１４  ビス
１５  隙間
１６  ＩＲパネル
【図１】
0004178667.tif 000002
【図２】
0004178667.tif 000003
【図３】
0004178667.tif 000004
【図４】
0004178667.tif 000005
【図５】
0004178667.tif 000006
【図６】
0004178667.tif 000007
【図７】
0004178667.tif 000008